(57)【特許請求の範囲】
【請求項１】
複数のサブ回路を有するトランシーバであって、
ベースバンドデバイスによって選択された、トランシーバの少なくとも１つの動作モードを特定する制御パケットを上記ベースバンドデバイスから受信するインターフェースと、
第１の複数の設定パターンを記憶するように設定されたメモリと、
上記複数のサブ回路に結合された制御インターフェースと、
上記インターフェースと上記メモリとに結合された復号器とを含んでおり、
上記第１の複数の設定パターンのうちの少なくとも１つの設定パターンは、上記トランシーバを少なくとも１つの上記動作モードに設定し、
上記復号器は、上記制御パケットに応答して上記少なくとも１つの設定パターンを取り出して、上記制御インターフェースに上記少なくとも１つの設定パターンを供給するように構成されているトランシーバ。
【請求項２】
上記少なくとも１つの設定パターンは、アドレス指定される上記複数のサブ回路の少なくとも１つのサブ回路を特定する第１の複数のビットと、当該第１の複数のビットによってアドレス指定される上記サブ回路を設定する第２の複数のビットとを含んでいる、請求項１に記載のトランシーバ。
【請求項３】
上記制御インターフェースは、上記少なくとも１つの設定パターンを並列的に供給するように構成されている、請求項１に記載のトランシーバ。
【請求項４】
上記制御インターフェースは、上記少なくとも１つの設定パターンを直列的に供給するように構成されている、請求項１に記載のトランシーバ。
【請求項５】
上記復号器は、上記制御パケットに応答して上記メモリから取り出された第２の複数の設定パターンを記憶するように構成されたレジスタを含んでいる、請求項１に記載のトランシーバ。
【請求項６】
上記復号器は、トリガー信号に応答して、上記第２の複数の設定パターンから１つの設定パターンを上記制御インターフェースに供給するように構成されている、請求項５に記載のトランシーバ。
【請求項７】
上記復号器は、上記メモリ内に少なくとも１つの設定パターンを格納するように設定されており、上記制御パケットは、上記少なくとも１つの設定パターンを含んでいる、請求項１に記載のトランシーバ。
【請求項８】
上記制御パケットは、同期フィールド、ヘッダフィールド、およびペイロードデータフィールドを含んでおり、上記ペイロードデータフィールドは、上記少なくとも１つの設定パターンを含んでいる、請求項７に記載のトランシーバ。
【請求項９】
上記少なくとも１つの設定パターンにはインデックスが割り当てられており、上記少なくとも１つの設定パターンは、上記インデックスを用いることによって取り出し可能である、請求項１に記載のトランシーバ。
【請求項１０】
上記復号器に結合されたシーケンサーデバイスをさらに含んでおり、
上記復号器は、上記シーケンサーデバイスによって供給されたトリガー信号およびインデックスに応答して、上記制御インターフェースに設定パターンを供給するように構成されており、
上記インデックスは上記設定パターンを識別する、請求項１に記載のトランシーバ。
【請求項１１】
上記少なくとも１つの設定パターンはＳＰＩテレグラムである、請求項１に記載のトランシーバ。
【請求項１２】
ベースバンドデバイスによって選択された、ＲＦトランシーバの少なくとも１つの動作モードを特定する制御パケットを上記ベースバンドデバイスから受信するインターフェースと、
ＲＦ信号を受信および／または送信する複数の回路素子と、
第１の複数の設定パターンを記憶するように設定されたレジスタと、
上記レジスタに結合されたコントローラとを含み、
上記回路素子のうちの少なくとも１つは、調整信号に応答して調整可能であり、
上記第１の複数の設定パターンのうち少なくとも１つの設定パターンは、上記少なくとも１つの回路の調整を特定し、
上記コントローラは、要求信号に応答して上記少なくとも１つの設定パターンを取り出して、当該少なくとも１つの設定パターンに応じて上記調整信号を供給するように構成されている、ＲＦトランシーバ。
【請求項１３】
第２の複数の設定パターンを記憶するように設定されたメモリをさらに含んでおり、
上記第２の複数の設定パターンは、上記第１の複数の設定パターンを含んでいる、請求項１２に記載のＲＦトランシーバ。
【請求項１４】
上記コントローラは、上記コントローラに印加可能な外部制御信号に応答して、上記メモリから上記レジスタへ上記第１の複数の設定パターンをコピーするように構成されている、請求項１３に記載のＲＦトランシーバ。
【請求項１５】
要求信号は、トリガー部分およびインデックス部分を含んでおり、
上記コントローラは、上記インデックス部分に応答して上記少なくとも１つの設定パターンを選出し、上記トリガー部分に応答して上記調整信号を選出するように構成されている、請求項１２に記載のＲＦトランシーバ。
【請求項１６】
上記要求信号は、上記複数の回路素子の少なくとも１つによって供給される、請求項１２に記載のＲＦトランシーバ。
【請求項１７】
シーケンサーデバイスをさらに含んでおり、
上記シーケンサーデバイスは、上記コントローラに結合されており、且つ、上記要求信号を供給することによってシークエンシングを制御するように構成されている、請求項１２に記載のＲＦトランシーバ。
【請求項１８】
少なくとも１つの設定パターンを含んだ制御パケットをベースバンドデバイスから受信するインターフェースと、
ＲＦ信号を受信および／または送信する複数の回路素子と、
複数の設定パターンを記憶するように設定されたメモリと、
上記メモリと上記インターフェースとに結合されたコントローラとを含んでおり、
上記回路素子のうちの少なくとも１つは、調整信号に応答して調整可能であり、
上記複数の設定パターンのうち少なくとも１つの設定パターンは、上記少なくとも１つの回路の調整を特定し、
上記コントローラは、上記制御パケットを受信して、上記制御パケット内の上記少なくとも１つの設定パターンを上記メモリ内に格納するように構成されているＲＦトランシーバ。
【請求項１９】
上記コントローラは、要求信号に応答して上記メモリから上記少なくとも１つの設定パターンを取り出し、当該少なくとも１つの設定パターンに応じて上記調整信号を供給するように構成されている、請求項１８に記載のＲＦトランシーバ。
【請求項２０】
上記調整信号は、直列的に送信可能な調整データパターンを含んでいる、請求項１９に記載のＲＦトランシーバ。
【請求項２１】
上記少なくとも１つの設定パターンはＳＰＩテレグラムを含んでいる、請求項１８に記載のＲＦトランシーバ。
【請求項２２】
上記調整信号はＳＰＩテレグラムを含んでいる、請求項１８に記載のＲＦトランシーバ。
【請求項２３】
上記調整信号は、上記少なくとも１つの回路素子に並列的に伝送されるデータパターンとして供給される、請求項１８に記載のＲＦトランシーバ。
【請求項２４】
上記要求信号は、インデックス部分およびトリガー部分を含んでいる、請求項１８に記載のＲＦトランシーバ。
【請求項２５】
上記コントローラは、上記トリガー部分に応答して上記調整信号を供給するように構成されている、請求項２４に記載のＲＦトランシーバ。
【請求項２６】
上記コントローラは、上記少なくとも１つの設定パターンに割り当てられるインデックスを生成し、当該インデックスを上記メモリ内に格納するように構成されている、請求項１８に記載のＲＦトランシーバ。
【請求項２７】
上記制御パケットは、ヘッダ部分およびデータペイロードを含んでおり、
上記データペイロードは、上記コントローラによって抽出されて上記メモリ内に格納される上記少なくとも１つの設定パターンを含んでいる、請求項１８に記載のＲＦトランシーバ。
【請求項２８】
調整される動作のモードを含んだ第１の制御パケットを送信するベースバンドデバイスと、
設定パターンに応答してＲＦ信号を送信および／または受信するＲＦトランシーバとを含んだ通信システムであって、上記動作のモードは、上記ベースバンドデバイスによって選択され、
上記ＲＦトランシーバは、
第１の複数の設定パターンを記憶するメモリと、
上記ベースバンドデバイスと上記メモリとに結合された復号器とを含んでおり、
上記第１の複数の設定パターンのうち少なくとも１つの設定パターンは、ＲＦ信号を送信および／または受信する上記ＲＦトランシーバを調整し、
上記復号器は、上記第１の制御パケットに応答して上記少なくとも１つの設定パターンを取り出し、上記ＲＦトランシーバを調整するために、当該少なくとも１つの設定パターンを供給するように構成された通信システム。
【請求項２９】
上記ベースバンドデバイスは、上記ＲＦトランシーバによって送信または受信される複数のデータビットを含んだパケットを送信または受信するように構成されている、請求項２８に記載の通信システム。
【請求項３０】
上記ベースバンドデバイスは、少なくとも１つの設定パターンを含んだ第２の制御パケットを送信するように構成されており、
上記復号器は、上記メモリ内に上記少なくとも１つの設定パターンを格納するように構成されている、請求項２８に記載の通信システム。
【請求項３１】
上記少なくとも１つの設定パターンは、ＳＰＩテレグラムを含んでいる、請求項３０に記載の通信システム。
【請求項３２】
上記ベースバンドデバイスは、上記ＲＦトランシーバに結合されており、且つ、ＤｉｇＲＦデュアルモード２．５Ｇ／３Ｇベースバンド／ＲＦ  ＩＣインターフェース規格を用いてデータのやり取りをする、請求項２８に記載の通信システム。
【請求項３３】
上記少なくとも１つの設定パターンは、アドレス指定される、上記ＲＦトランシーバの少なくとも１つのサブ回路を特定する第１の複数のビットと、当該第１の複数のビットによってアドレス指定された上記サブ回路を設定する第２の複数のビットとを含んでいる、請求項２８に記載の通信システム。
【請求項３４】
少なくとも１つの調整可能なサブ回路を含んだトランシーバを調整する方法であって、
上記トランシーバを或る動作モードに調整する少なくとも１つの設定パターンを含んだ第１の制御パケットを供給する工程と、
上記制御パケットを受信する工程と、
上記少なくとも１つの設定パターンを、上記トランシーバが備えるメモリ内に格納する工程と、
ベースバンドデバイスによって選択された動作モードを選択するコマンドを含んだ第２の制御パケットを上記ベースバンドデバイスから供給する工程と、
上記第２の制御パケット内の上記コマンドに応答して上記メモリから上記少なくとも１つの設定パターンをロードする工程と、
少なくとも１つの設定パターンに応答して上記トランシーバを調整する工程とを含んでいる方法。
【請求項３５】
上記ＲＦトランシーバを調整する工程は、複数のビットを含んだテレグラムを生成する工程と、上記テレグラムを上記少なくとも１つの調整可能なサブ回路へ直列的に伝送する工程とを含んでいる、請求項３４に記載の方法。
【請求項３６】
上記第２の制御パケットを供給する工程は、
時間に正確なストローブメッセージを生成する工程と、
上記第２の制御パケットおよび上記時間に正確なストローブメッセージを上記トランシーバによって受信する工程とを含んでいる、請求項３４に記載の方法。
【請求項３７】
上記少なくとも１つの設定パターンをロードする工程は、
上記少なくとも１つの設定パターンを識別するインデックスを生成する工程と、
上記インデックスに応答して上記少なくとも１つの設定パターンをアドレス指定する工程とを含んでいる、請求項３４に記載の方法。
【請求項３８】
上記少なくとも１つの設定パターンを記憶する工程は、
上記少なくとも１つの設定パターンに割り当てられるインデックスを生成する工程と、
上記少なくとも１つの設定パターンを上記インデックスと共に上記メモリ内に格納する工程とを含んでいる、請求項３４に記載の方法。
【請求項３９】
上記少なくとも１つの設定パターンを記憶する上記工程は、上記メモリ内に事前に記憶された設定パターンを上記少なくとも１つの設定パターンと置き換える工程を含んでいる、請求項３４に記載の方法。
【発明の詳細な説明】
【技術分野】
【０００１】
本発明は、トランシーバ、ＲＦトランシーバ、および通信システムに関する。本発明はまた、制御パケットの伝送および処理方法、特に、ベースバンドデバイスからＲＦトランシーバへ伝送される制御パケットの伝送および処理方法に関する。
【背景技術】
【０００２】
移動体通信システムおよびユーザデバイスは、様々な通信規格に従ってＲＦ信号を送受信したいというユーザ側の要求に伴って、複雑化の一途をたどっている。このような移動体通信システムは、携帯電話、ＰＤＡ、ラップトップ、パームトップ、携帯ゲーム機などである。さらに、今日のユーザは、高度集積回路を用いたより小型の通信システムを必要としている。
【０００３】
今日の通信システムは、信号の生成、送信、および受信を行うための様々なデバイスおよび素子を備えている場合がある。例えば、非常に多くの場合、ユーザ側における信号処理およびベースバンド信号生成は、単一の半導体チップ上に集積されたベースバンドデバイス内において統合されている。従って、信号送信、信号受信、および受信された信号の前処理は、あらゆるベースバンド素子から分離されたＲＦトランシーバチップ内に統合されている場合がある。このようなＲＦトランシーバチップは、ＲＦ信号を送受信するための信号経路を１つ以上有している場合がある。これらの経路は、受信経路においてスイッチ、送受切換え器、および前置増幅器を有し、そして送信経路において電力増幅器をそれぞれ有している場合がある。近年、ＲＦトランシーバチップは、複数の異なる移動体通信規格に対して、信号生成用の信号経路を別々に有している場合がある。さらに、ユーザまたはベースバンドデバイスによって選択された移動体通信規格に準拠したＲＦトランシーバチップ内において、キャリア信号が生成される。
【非特許文献１】DigRF-Dual-Mode 2.5G/3G Baseband (RF IC Interface Standard, v3.09, November 22, 2006, DigRFグループメンバーのみ利用可能)
【非特許文献２】PMB5703 SMARTiUE (Programmer’s Guide Rev. 1.2, 非公開, 特定の依頼人からの要請に応じてのみ利用可能)
【非特許文献３】PMB5703仕様書（Chapter 5, 非公開, 特定の依頼人からの要請に応じてのみ利用可能）
【発明の開示】
【発明が解決しようとする課題】
【０００４】
本発明は、ベースバンドデバイスとトランシーバデバイスとの通信を改善して、トランシーバデバイスの自立制御を可能にする。
【課題を解決するための手段】
【０００５】
本発明によると、ベースバンドデバイスからトランシーバデバイスへ供給される情報量を減らすことができ、これによって、ベースバンドデバイスとトランシーバデバイスとの時間的に余裕の無い通信要件を緩和することができる。さらに、トランシーバは、少なくとも部分的にトランシーバデバイス内に構成することができる。トランシーバ／ベースバンドデバイス間における制御構造は、分離させてさらに柔軟にすることができるため、これら両デバイスの実施および開発をより容易にすることができる。
【０００６】
一実施形態では、複数のサブ回路を有するトランシーバは、トランシーバの少なくとも１つの動作モードを特定する制御パケットを受信するインターフェースを含んでいる。上記トランシーバはまた、第１の複数の設定パターンを記憶するように構成されたメモリを含んでいる。上記第１の複数の設定パターンのうち少なくともいずれか１つは、少なくとも１つの動作モードに対してトランシーバを設定する。上記複数のサブ回路には、制御インターフェースが結合されている。上記トランシーバはまた、上記インターフェースおよび上記メモリに結合された復号器を含んでいる。当該復号器は、上記制御パケットに応じて、上記メモリから少なくとも１つの設定パターンを取り出し、当該少なくとも１つの設定パターンを上記制御インターフェースに供給するように構成されている。
【０００７】
上記メモリ内に記憶された複数の特定の設定パターンを用いることによって、トランシーバの制御手順が明白且つ柔軟になる。さらに、上記メモリ内に記憶された上記複数の設定パターンによって、上記トランシーバの１つ以上のサブ回路の様々な動作状態を選択することができる。
【０００８】
上記トランシーバの１つの動作モードが上記制御パケットによって特定されると、上記復号器は、上記制御パケットを処理し、処理された当該制御パケットに応じて、必要な設定パターンを取り出す。上記制御インターフェースに供給された上記設定パターンは、上記制御パケットまたは上記制御パケット内の情報によって規定された要件に従って、上記レシーバの上記サブ回路を設定する。従って、上記ベースバンドデバイスは、上記トランシーバの内部手順を設定するようにプログラムされている必要はなく、上記制御パケットによって上記トランシーバの所望の動作モードを特定できれば十分である。
【０００９】
別の実施形態では、ＲＦトランシーバは、１つ以上のＲＦ信号を受信および／または送信する複数の回路素子を含んでいる。少なくとも１つの回路素子は、調整信号に応じて設定可能である。上記ＲＦトランシーバは、第１の複数の設定パターンを記憶するように設定されたレジスタを含んでいる。上記第１の複数の設定パターンのうち少なくとも１つの設定パターンは、上記少なくとも１つの回路の設定を特定する。最後に、上記メモリには、コントローラが結合されている。当該コントローラは、要求信号に応答して上記少なくとも１つの設定パターンを取り出すように構成されている。当該コントローラはまた、上記少なくとも１つの設定パターンに応じて調整信号を供給するように構成されている。
【００１０】
さらに別の実施形態では、ＲＦトランシーバは、少なくとも１つの設定パターンを含んだ制御パケットを受信するインターフェースを含んでいる。メモリは、複数の設定パターンを記憶するように設定される。上記複数の設定パターンのうち少なくとも１つの設定パターンは、上記ＲＦトランシーバの少なくとも１つの回路の設定を特定する。上記メモリおよび上記インターフェースには、コントローラが結合されている。当該コントローラは、上記制御パケットを受信し、上記制御パケット内の上記少なくとも１つの設定パターンを上記メモリ内に記憶するように構成されている。
【発明の効果】
【００１１】
本発明は、ベースバンドデバイスとトランシーバデバイスとの通信を改善して、トランシーバデバイスの自立制御を可能にする。
【発明を実施するための最良の形態】
【００１２】
以下の説明では、本発明のさらなる形態および実施形態が開示される。さらに、添付図面が参照される。これらの図面は、本明細書の一部を構成するものであり、また、本発明を実施し得る例を示している。これら図面の実施形態は、本発明の１つ以上の形態をよりよく理解するための説明を提示するものである。本開示内容は、本発明の特徴または主要要素を、特定の実施形態に限定しようとするものではない。当業者は、これら実施形態に開示されている様々な素子、形態、および特徴を様々に組み合わせて、本発明の１つ以上の利点を得ることができる。なお、他の実施形態を用いることも可能であり、また、本発明の範囲から逸脱することなく構造的または論理的変化を加えることができることについて理解されたい。これら図面中の各素子は、必ずしも互いに相対的な縮尺とはなっていない。例示目的のために、一部の電気通信規格が特定されている。さらに、ベースバンドとＲＦトランシーバチップとを通信させるための一部の通信規格が特定されている。しかし、本明細書において引用されているこれらの通信規格は、開示されている実施形態に限定されるものではない。本発明の様々な形態を達成するために、本明細書において記載されている他の通信規格および次世代規格を用いることができる。また、同様の符号は、対応する同様の箇所を示している。
【００１３】
図１は、ＲＦトランシーバ１ａの概略図を示している。ＲＦトランシーバ１ａは、半導体基板内において、複数のサブ回路を含んだ集積回路として形成することができる。この点において、「サブ回路」という名称は、単一の目的を達成するように設計された単一の回路か、あるいは、何らかの論理的または構造的接続によってグループ化が可能な回路群を称している。これらのサブ回路は、例えば、１つ以上の受信経路および送信経路内において論理的に組み合わせることができる。
【００１４】
周波数比を調整できる周波数分周器と、位相比較器と、電圧制御発振器とがグループ化された位相同期ループは、サブ回路の非限定的な例である。このようなサブ回路は、別のサブ回路の一部であってよい。また、送信または受信経路内において、サブ回路として、増幅回路を、その供給電圧発生器と共にグループ化することができる。
【００１５】
各サブ回路は、その信号処理動作を変更するために、可変パラメータを１つ以上含んでいてよい。位相同期ループは、サブ回路の非限定的な例である。位相同期ループにおいて、電圧制御発振器の共振周波数のための制御電圧が第１の可変パラメータであり、周波数分周器の可変分周比（adjustable divider ratio）が第２のパラメータである。基板表面上の供給端子並びに基板表面上の信号端子は、必要とされる供給電圧および電流並びに有用な信号をそれぞれ集積回路に供給することができる。本実施形態では、ＲＦトランシーバ１ａは、ＲＦ信号を送受信するために用いられる複数のサブ回路を含んだＲＦトランシーバフロントエンド１を含んでいてよい。
【００１６】
本実施形態では、ＲＦトランシーバフロントエンド１は、送信経路を１つ、および受信経路を１つ含んでいる。あるいは、ＲＦフロントエンド１は、２つ以上の送信または受信回路を含んでいてよい。例えば、ＲＦフロントエンド１は、第１移動体通信規格用の第１送信経路と、第２移動体通信規格用の第２送信経路とを含んでいてよい。これらの経路は、完全に分離されていてよく、あるいは１つ以上のサブ回路を共有していてもよい。上記送信経路は、ベースバンド信号成分ＩおよびＱのための２つの入力端子を有するｒΦ変換器１０５を含んでいる。上記信号成分ＩおよびＱは、送信されるデータコンテンツに対応したデジタルデータパターンを示している。信号成分ＩおよびＱは、ｒΦ変換器１０５において、位相部分Φおよび振幅部分ｒに変換される。位相部分Φは、位相固定ループを含んだ位相変調器１０６に供給される。位相変調成分Φは、位相変調器１０６の位相固定ループ内における周波数分周比率を調整するために用いることができる。周波数分周器部分を調整することによって、位相変調器１０６の出力として供給され、可変帯域通過フィルタ１０７に印加されるキャリア信号の位相変調が行われる。
【００１７】
フィルタ１０７の通過帯域は、位相同期ループによって生成される好ましくない信号生成物（ベースバンド信号成分のサブ高調波、高調波部分、またはクロストークなど）がフィルタ１０７によって抑制されるように、外部から調整することができる。
【００１８】
振幅部分ｒは、可変増幅器１０８に供給される。増幅器１０８は、ディスクリート増幅利得を有するプログラマブル利得増幅器（ＰＧＡ）、あるいはアナログ増幅利得を有する電圧利得増幅器を含んでいてよい。可変増幅器１０８の第２の入力端子は、帯域通過フィルタ１０７の出力端子に接続されている。可変増幅器１０８に供給された位相変調信号は、振幅部分ｒに応じて変調される。最後に、可変増幅器１０８の出力端子は、電力増幅器１０９の入力端子に接続されている。電力増幅器１０９の出力は、半導体表面上の端子１１に結合させることができる。そこへ供給された信号は、外部に配置されたアンテナ（ここには図示せず）を介して送信される。
【００１９】
ＲＦトランシーバ１ａのＲＦトランシーバフロントエンド１の受信経路は、端子１０を含んでいる。端子１０には、アンテナ（ここには図示せず）によって受信された信号が供給される。端子１０は、第１の低雑音増幅器１０４に接続されている。低雑音増幅器１０４は、可変利得を含んでおり、また雑音指数が非常に低いため、さらなる相互変調積を生成することなく、あるいは何らかのスプリアス信号を生成することなく、受信した信号を増幅することができる。低雑音増幅器１０４は、低雑音増幅器を１つ含んでいてもよく、あるいは、直列接続された複数の低雑音増幅器を有する連鎖増幅器を含んでいてもよい。これら増幅器の一部は、可変利得を含んでいてよい。
【００２０】
低雑音増幅器１０４の出力は、可変帯域通過フィルタ１０３に接続されている。可変帯域通過フィルタ１０３の通過帯域中心周波数は、対応する制御信号に応じて選択することができる。帯域通過フィルタ１０３はまた、複数の単一フィルタを含んでいてよい。これら複数の各単一フィルタは、それぞれ異なる中心周波数を有した、互いに異なっていると共に部分的に重複した通過帯域を有していてよい。これらフィルタの一部はまた、可変通過帯域を含んでいてよい。例えば、フィルタユニット１０３は、所望の通信規格に応じた様々な周波数領域内において或る通過帯域をそれぞれ有する、複数の異なるフィルタを含んでいてよい。
【００２１】
帯域通過フィルタ１０３の出力は、別の増幅器１０１およびＩ／Ｑ復調器１００に結合することができる。Ｉ／Ｑ復調器１００は、位相固定ループ１１０に接続された局部発振器入力を含んでいる。上記位相固定ループは、受信されたＲＦ信号およびその中心周波数に応じて、Ｉ／Ｑ復調器１００におけるＩＱ復調のために、対応する局部発振器信号を供給する。復調された信号成分Ｉ'およびＱ'は、デジタル信号として、ＲＦトランシーバフロントエンドの出力端子に供給される。本実施形態では、示されている受信経路は１つのみであるが、ＲＦトランシーバ１ａは複数の様々な受信経路を含んでいてよい。
【００２２】
ＲＦトランシーバ１ａは、Ｉ／Ｑ-復調器１００および送信経路内のｒΦ-変調器１０５に接続されたコントローラデバイス１２をさらに含んでいる。コントローラ１２はまた、インターフェース１４に結合されている。インターフェース１４は、図に示されているように、バスを介して、受信経路内および送信経路内の複数のサブ回路に接続されている。例えば、インターフェース１４は、上記バスを介して、受信経路の位相固定ループ１１０、増幅器１０１、増幅器１０４、および可変フィルタユニット１０３に結合されている。インターフェース１４はまた、上記バスを介して、送信経路の位相変調器、位相固定ループ１０６、可変フィルタ１０７、増幅器１０８、および増幅器１０９に接続されている。
【００２３】
一部の移動体通信規格では、複数の異なるサブ回路を処理および制御するために必要とされるデータおよび制御／調整コマンドが大量であるため、ＲＦトランシーバフロントエンド１内の全てのサブ回路を、デバイス回路１２によって自律的に選択および調整することは有用である。この点において、「自律的」という表現は、ＲＦトランシーバ１ａに接続された如何なるベースバンド回路も、上記トランシーバの１つ以上のサブ回路を調整するために、上記ＲＦトランシーバへ正確なコマンドを実時間で送信しないことを意味している。ＲＦトランシーバフロントエンドおよびサブ回路は、コントローラデバイス１２によって自律的に制御される。この結果、上記ベースバンドデバイスは、ＲＦトランシーバフロントエンドの一部の特殊な動作について「知る」必要はない。
【００２４】
トランシーバ１ａ内のコントローラデバイス１２の自律制御によって、ベースバンドユニットからＲＦトランシーバ１ａへ送られる制御コマンドの時間的に余裕の無い送信を減らすことができる。具体的には、ベースバンドユニットは、所望の移動体通信規格、所望の周波数帯域および送信／受信モードを選択することができるようになり、またＲＦトランシーバ１ａ内のコントローラデバイス１２は、ベースバンドデバイスから送られる「より一般的な」コマンドに応じて、対応するサブ回路を選択および調整することができるようになる。
【００２５】
この目的のため、コントローラデバイス１２は、実行可能な複数の設定パターンが内部に記憶されたメモリを含んでいる。各設定パターンは、所望の動作モードに合わせて１つ以上のサブ回路を調整する、１つ以上の調整信号に対応している。ベースバンドデバイスが特定の動作モード（例えば、特定のチャネル内および特定の出力のＧＳＭ送信モード）を要求した場合、コントローラデバイス１２は、上記メモリ内から対応する設定パターンを選択して取り出す。要求された上記設定パターンは、インターフェース１４に供給され、そして送信経路および受信経路の複数のサブ回路を接続するバスに印加される。これに伴って、上記サブ回路に正確な設定パターンが適用されるため、サブ回路を選択および調整することができる。
【００２６】
ＲＦトランシーバフロントエンド１のいくつかのサブ回路の２つ以上の異なる設定がさらに要求された場合、コントローラデバイス１２は、インターフェース１４に、対応する設定パターンを時間的に同期して供給する。これによって、オーバーヘッドを、そして特にベースバンドデバイスからＲＦトランシーバ装置へ送られるコマンドを減らすことができる。さらに、ＲＦトランシーバフロントエンドの内部構造および時間同期に関する具体的な知識を持つ必要がなくなる。
【００２７】
さらに、一部のサブ回路は、動作状態とは独立したモードおよびコマンドを必要とする場合がある。図１に係る実施形態に示されているバスシステムを用いることによって、上記サブ回路はまた、サービス要求信号を送信することができる。このサービス要求信号は、インターフェース１４によって受信され、そしてさらなる処理のためにコントローラデバイス１２へ供給される。コントローラデバイス１２は、対応する設定パターンを選択し、その設定パターンを、サービス要求信号を送るサブ回路へ供給することができる。
【００２８】
あるいは、インターフェース１４は、短時間内に用いることのできる一部の設定パターンを記憶するための小型レジスタを含んでいてもよい。上記インターフェースは、サービス要求信号を受信した後、対応する設定パターンを、サービス要求信号を送るサブ回路へ供給することができる。これによって、処理に起因した遅延が生じることなく、また追加的なタイミング信号を用いることなく、サブ回路を調整することができる。一方、サブ回路は、その一連の信号処理が終了するとすぐに、次の設定を要求することができる。
【００２９】
図１に係る実施形態では、ＲＦトランシーバフロントエンドの一部のサブ回路の制御は、ベースバンドデバイスから送信されるあらゆるコマンドから分離される。具体的には、ベースバンドデバイスは、所望の動作モードへ切り替えるための一般コマンドを送信することができる。所望の動作モードに必要とされる一部の調整は、メモリ内に記憶された１つ以上の設定パターンを用いて、コントローラデバイスによって半自律的に行われる。これらの設定パターンは、メモリから取り出されてレジスタ内に記憶されるか、あるいはベースバンドインターフェースへ直接供給される。さらに、コントローラデバイス１２またはインターフェース１４は、特定のサブ回路からの要求を受けて、そのサブ回路のための設定パターンを送信することができる。
【００３０】
図２は、通信２ａシステムの概略図である。図２は、ＲＦトランシーバフロントエンドを設定するために用いられる一部の論理装置ならびに構造装置、および対応する信号フローを示している。通信システム２ａは、ベースバンドデバイス２０を含んでいる。ベースバンドデバイス２０は、半導体基板内において集積回路として形成されている。ベースバンドデバイス２０は、移動体通信規格に準拠して伝送されるデジタルデータを処理および準備する、デジタル信号処理装置を含んでいる。
【００３１】
例えば、上記デジタル信号処理装置は、ＧＳＭ通信規格またはＷ-ＣＤＭＡ通信規格に準拠して、デジタルＩおよびＱ信号成分を表す複数のデジタルＩおよびＱデータを生成することができる。また、上記デジタル信号処理装置およびベースバンドデバイス２０は、Bluetooth、ＥＴＳＩ８０２．１１ａ・１１ｂ・１１ｄ・１１ｇ・１１ｈ  ＷＬＡＮ規格、またはＧＳＭ／ＥＤＧＥ移動体通信規格に準拠して、デジタル信号を生成することができる。ベースバンドデバイス２０は、デジタルインターフェース２１に接続されたデジタルインターフェースを含んでいる。インターフェース２１は、第２の半導体基板内に形成されたＲＦトランシーバフロントエンドの一部である。
【００３２】
上記ベースバンドデバイスのデジタルインターフェースは、ＤＩＧ  ＲＦ  Ｄｕａｌ−Ｍｏｄｅ２．５Ｇ／３Ｇ  ベースバンド／ＲＦ−ＩＣインターフェース規格（ＤｉｇＲＦ）に準拠して、ＲＦトランシーバフロントエンドのインターフェース２１と通信することができる。これは、本明細書に参照として完全に援用される。ＤｉｇＲＦ規格は、パケット指向の通信を用いる。パケット指向の通信では、ベースバンドデバイス２０は、ＲＦトランシーバフロントエンドへ、より具体的にはＲＦトランシーバフロントエンドのコントローラデバイス２２へ、制御コマンドを送信する。ベースバンドデバイスとＲＦトランシーバフロントエンドとの間でやり取りされるパケットは、テレグラム（telegram）と称される。ベースバンドデバイス２０とＲＦトランシーバフロントエンドとの間における通信は、双方向通信であってよい。
【００３３】
テレグラムは、例えばＤｉｇ−ＲＦインターフェース通信規格において規定されている、論理チャネルを特定することができる。例えば、ＲＦトランシーバフロントエンドを介して送信されるデータは、第１の論理チャネルにおいて、ベースバンドデバイス２０からコントローラデバイス２２へ送信される。別の論理チャネルでは、ベースバンドデバイス２０からＲＦトランシーバフロントエンドのコントローラデバイス２２へ制御パケットが送信される。従って、テレグラムは、制御パケットまたはデータパケットを内部に記憶することのできるペイロードを含んでいる。
【００３４】
上記制御パケットは、ＲＦトランシーバを特定の動作モードへセットするコマンドを含んでいてよい。例えば、このようなモードは、ＧＳＭ受信モードおよびＧＳＭ送信モードを含んでいてよい。これらのモードは、それぞれ、送信されるデータおよび受信されるデータのためのチャネルまたは中心周波数を特定する。上記制御パケットはまた、広帯域ＣＤＭＡまたはＵＭＴＳ送信または受信モードのためのコマンドを含んでいてよい。別の制御パケットは、例えば、ＧＳＭ受信モードからＵＭＴＳ送信モードへ、またはその逆方向へというように、第１の動作モードを第２の動作モードに移行するコマンドを含んでいてよい。
【００３５】
コントローラデバイス２２は、インターフェース２１を介してベースバンドデバイス２０と通信するように適合された、バックボーンコントローラ２３を含んでいる。バックボーンコントローラ２３は、ベースバンドデバイス２０から送信されたあらゆるテレグラムおよびテレグラムのペイロードを受信し、それらのコンテンツを処理する。バックボーンコントローラ２３は、メモリ２５およびＴＸまたはＲＸシーケンサー２６に接続されている。シーケンサー２６は、タイミングを制御し、フロー制御を行うように適合されている。
【００３６】
ＲＦトランシーバフロントエンドの初期化中には、複数の実行可能な設定パターンがメモリデバイス２５内に記憶される。一実施形態では、これらの設定パターンは、ペイロードとして制御パケットを有するテレグラムを用いて、ベースバンドデバイス２０からバックボーンコントローラ２３へアップロードすることができる。上記制御パケットは、メモリデバイス内に記憶される１つ以上の設定パターンを含んでいてもよい。バックボーンコントローラ２３は、ＲＦトランシーバフロントエンドの初期化中に、メモリ内に設定パターンを記憶する。あるいは、メモリ２５は、製造中に複数の設定パターンを内部に記憶することのできる、読み出し専用メモリを含んでいてもよい。
【００３７】
各設定パターンは、ＲＦトランシーバフロントエンドの１つ以上のサブ回路の可変動作状態に対応している。言い換えると、設定パターンを用いて、ＲＦトランシーバフロントエンドの１つ以上のサブ回路を調整し、所望の動作状態にセットすることができる。
【００３８】
これによって、コントローラデバイス２３は、ベースバンドデバイス２０からインターフェース２１を介して、制御パケットを有するテレグラムを受信することができる。この制御パケットは、制御装置２２のバックボーンコントローラ２３によって処理されて、所望の動作モードおよび所望の周波数帯域が抽出される。制御装置２２の動作モードおよび制御装置２２によって特定された周波数帯域によって、バックボーンコントローラ２３は、メモリから１つ以上の設定パターンをロードし、それらの設定パターンを、ＲＦ制御ブロック２４内に形成された１つ以上のレジスタ内に格納する。これによって、ＲＦ制御ブロック２４は、ベースバンドデバイス２０によって規定された所望の動作モードに必要とされる、サブ回路のための設定パターンを供給することができる。
【００３９】
動作中、シーケンサー２６は、ＲＦトランシーバフロントエンドの１つ以上のサブ回路の特定の設定を要求する。このような要求は、インデックス部分およびトリガー部分を含んでいてもよい。インデックス部分は、シーケンサーによって要求される必要な設定パターンに対応している。例えば、低雑音増幅器の動作状態を変更する必要がある場合、シーケンサー２６によって送られるインデックスは、低雑音増幅器に対して新規に要求されるモードと対応している。トリガー部分は、モード変更のトリガーに関する情報を提供する。これらのインデックス部分およびトリガー部分は、バックボーンコントローラ２３によって受信され、そしてＲＦ制御ブロック２４へ供給される。ＲＦ制御ブロック２４は、インデックスによって決定された対応する設定パターンを選択し、そしてトリガー信号に応答して、フロントエンドのサブ回路のための制御ピン２７に設定パターンを供給する。
【００４０】
図３は、デジタル通信端子３１を有するコントローラデバイス３２の概略図を示している。端子３１は、インターフェースを介して、ベースバンドデバイス（ここには図示せず）に接続されている。コントローラデバイス３２は、端子３１を介して、通信データを受信または送信することができる。例えば、ＲＦトランシーバフロントエンドによって受信された信号は復調され、デジタルデータは、さらなる処理のために、コントローラデバイス３２およびインターフェースを介してベースバンドデバイスへ送信される。
【００４１】
制御装置３２は、内部に複数の設定パターンが記憶されるメモリ３５に接続されている。動作中、ベースバンドデバイスは、ＲＦトランシーバフロントエンドのコントローラ３２へ、制御パケットを有するテレグラムを送信する。上記制御パケットは、特定の動作モードを要求する制御コマンドを含んでいる。コマンドを含んだ上記制御パケットは、コントローラデバイス３２によって内部的に処理され、必要な設定パターンが決定される。そして、設定パターン３５２は、アドレス信号３５１を介してアドレス指定され、メモリ３５からロードされ、そしてコントローラデバイス３２内に形成されたレジスタ３５３内に記憶される。
【００４２】
次に、コントローラデバイス３２は、時間に正確なストローブメッセージ（ＴＡＳ（time accurate strobe）メッセージ）３６１をシーケンサー３６へ送信する。シーケンサー３６は、時間に正確なストローブメッセージを用いて、１つ以上のトリガーイベントおよびインデックスパケットを生成する。
【００４３】
必要とされる動作が実行される際には、シーケンサー３６によって、１つ以上のサービス要求信号がコントローラ３２へ送信される。サービス要求信号は、インデックス３６２およびトリガーイベント３６３を含んでいてよい。インデックス３６２は、トリガーイベント３６３によって決定された特定の時間に出力ピン３７においてセットされる設定パターンを特定する。これによって、シーケンサー３６は、ベースバンドデバイスによって事前に規定された、所望とする必要なプロセスフローに応じて、制御装置３２のレジスタ内に記憶された設定パターンをトリガーおよび選択する。
【００４４】
設定パターンが要求されるとすぐに、制御装置３２は、複数のビットを含んだ必要とされる設定パターンを、出力インターフェース３７に並列に供給する。この設定パターンは、調整されるサブ回路をアドレス指定するための４ビットの値、および複数の調整データビットを含んでいてもよい。インターフェース３７は、一部のフロントエンドのサブ回路のために、制御ピンに接続されている。サブ回路に設定パターンを送信するために用いられる上記インターフェースは、汎用バス（ＧＰＯバス）であってよい。
【００４５】
さらに、シーケンサー３６は、コントローラデバイス３２に追加的なサービス要求信号を送信することができる。このようなサービス要求信号は、ＲＦトランシーバフロントエンドの１つ以上のサブ回路によって要求されるとすぐに、シーケンサー３６によって生成することができる。サービス要求信号は、異なる動作状態間における切り替え処理に関する情報をコントローラデバイスへ与えるために用いることができる。サービス要求信号はまた、サブ回路を次の動作状態にセットするために次の設定パターンの要求を含んでいてもよい。あるいは、これらのサービス要求信号は、ベースバンドデバイスのそれ以前のコマンドによって決定されたプロセスフローに応じて用いることもできる。これらのサービス要求信号によって、遅延を生じさせることなく、また追加的なタイミング信号を用いることなく、サブ回路の次の異なる状態への切り替えを行うことができる。
【００４６】
図４は、通信システムの別の実施形態を示している。本実施形態では、ＲＦレシーバフロントエンド内の複数のサブ回路（ここには図示せず）は、一部の動作状態を制御および調整するために、直列バスインターフェースに結合されている。当該バスインターフェースは、パケットまたはテレグラム指向の信号を用いてサブ回路を制御および調整する、ＳＰＩバスインターフェースを含んでいてよい。
【００４７】
上記ＳＰＩバスは、連続した３０ビットのパターンを用いて複数のサブ回路から１つ以上のサブ回路をアドレス指定する、直列バスシステムである。当該パターンの最初の１３ビットは、アドレス指定されるサブ回路のアドレスを示している。次の１６データビットは、サブ回路をアドレス指定するための制御コマンドまたは調整信号を含んでいる。最後の１ビットは、サブ回路を有効または無効にするために用いられる。上記設定パターンは、ＳＰＩテレグラムコンテンツまたはＳＰＩテレグラムとも称される。ＳＰＩテレグラムコンテンツは、特定のＳＰＩテレグラムに割り当てられる。これら両方の呼称は、実施形態を説明する目的のために、同等の意味で用いられている。ＳＰＩテレグラム（例えば、３０ビットデータパターン）は、コントローラデバイス４２に結合されたメモリ４５内に記憶される。
【００４８】
ＳＰＩバスインターフェース、およびＳＰＩテレグラムを介したサブ回路の制御手順によって、高い柔軟性が得られる。しかし、メモリ内に記憶されるテレグラムコンテンツは、メモリ使用量が多い。このようなメモリを用いることができない場合、図示されている通信システムの柔軟性を減じることなく、メモリ内に記憶されるＳＰＩテレグラムの数を低減する必要がある。
【００４９】
コントローラデバイス４２、および特にメッセージ復号器＆コントローラ４３は、インデックスと共にＳＰＩテレグラムコンテンツを含んだ制御パケットを有する１つ以上のテレグラムを、ベースバンドデバイス４０からデジタルインターフェース４１を介して受信する。上記テレグラムおよび制御パケットは、上記テレグラムのペイロードがメモリ内に記憶されるＳＰＩテレグラムコンテンツも含んでいることを示すコマンドを含んでいる。メッセージ復号器＆コントローラ４３は、上記コマンドを処理し、ＳＰＩテレグラムコンテンツを抽出する。当然ながら、上記制御パケットは、記憶される複数のＳＰＩテレグラムコンテンツをさらに含んでいてよい。上記ＳＰＩテレグラムは、所望の動作モードへの切り替え前に、メモリ４５内に記憶される。
【００５０】
言い換えると、所望の動作モードを得るためにＲＦトランシーバフロントエンド内のサブ回路を設定するＳＰＩテレグラムコンテンツは、グループ化されて、そしてベースバンドデバイスからメッセージ復号器＆コントローラ４３へ送信される。コントローラ４３内の復号器は、メモリ４５内にＳＰＩテレグラムを格納する。あるいは、ベースバンドデバイスは、インデックスを明示することなく、制御パケットおよびＳＰＩテレグラムを送信する。むしろ、インデックスは、ＳＰＩテレグラムの処理中にメッセージ復号器＆コントローラ４３によって生成される。続いて、上記ＳＰＩテレグラムがメモリ４５内に再び記憶される。
【００５１】
所望の動作モードへの切り替え要求後すぐに、コントローラ４３内のメッセージ復号器は、時間に正確なストローブメッセージＴＡＳをシーケンサー４６へ送信する。シーケンサー４６は、所望の動作モードのためのプロセスフローを実行し、メッセージ復号器＆コントローラ４３へのインデックス信号およびトリガー信号の送信を開始する。復号器４３は、上記インデックス信号を用いて、割り当てられたテレグラムをメモリ４５からロードする。上記テレグラムコンテンツはＳＰＩインターフェース４４へ送信され、そしてＳＰＩテレグラムに変換される。
【００５２】
このように、ベースバンドデバイス４０からインターフェース４１を介して追加的な制御パケットを送受信することなく、ＲＦトランシーバフロントエンド内のサブ回路を調整および設定するＳＰＩテレグラム自体が自律的にトリガーおよびロードされる。このようなＲＦトランシーバ装置の半自律性によって、時間に正確な制御パケットまたはデータパケットをデジタルインターフェース４１を介して送信するための要件が緩和される。
【００５３】
別の動作モードが選択される場合、例えばＧＳＭ送信モードからＵＭＴＳ受信モードへ遷移する場合、ベースバンドデバイス４０によって、テレグラムおよび制御パケットを介して、ＲＦトランシーバフロントエンドのコントローラデバイス４２へ、複数の新しいＳＰＩテレグラムが送信される。メッセージ復号器＆コントローラ４３は、制御パケット内のＳＰＩテレグラムを抽出する。これらのＳＰＩテレグラムにインデックスが割り当てられ、そしてこれらのＳＰＩテレグラムおよびインデックスはメモリ４５内に記憶される。これによって、ベースバンドデバイス４０からの要求があるとすぐに、新しい動作モードがアクティブとなる。この結果、コントローラ４３は、ベースバンドデバイス４０からの要求があるとすぐに、１つ以上のテレグラムをやり取りおよび上書きするように設定される。
【００５４】
図４に係る実施形態では、ベースバンドデバイス４０は、１６ビットの設定データに対応する短いＳＰＩテレグラムコンテンツ、およびアドレス指定されるサブ回路を示す値のみを送信する。メッセージ復号器＆コントローラ４３は、上記値からサブ回路に対応するアドレスを取得して、そのアドレスを設定データと共にメモリ内に記憶させる。このような手順は、ベースバンドデバイスが、ＲＦトランシーバフロントエンド内の対応するサブ回路の正確なアドレスを「知らない」場合には有用である。あるいは、ベースバンドデバイス４０は、コントローラデバイス４２へ送信するための、制御パケットを生成してもよく、当該制御パケットは、動作中にサブ回路を設定するために用いられる全ＳＰＩテレグラムを含んでいてもよい。
【００５５】
図７は、複数のＳＰＩテレグラムとこれらに割り当てられたインデックスとが内部に記憶されたメモリの実施例を示している。各ＳＰＩテレグラムは、３０ビットを含んでいる。この３０ビットのうちの１３ビットは、設定されるサブ回路をアドレス指定し、１６ビットは、アドレス指定されたサブ回路を設定するために用いられる。残りの１ビットは、有効／無効を示すために用いられる。ＳＰＩテレグラムに割り当てられるインデックスは、対応するＳＰＩテレグラムのメモリアドレスであってよい。シーケンサー４６から要求があるとすぐに、メッセージ復号器＆コントローラ４３はメモリ４５をアドレス指定し、当該アドレスにおいて発見されたテレグラムをＳＰＩインターフェース４４へロードする。
【００５６】
また、ＲＦトランシーバフロントエンドの１つ以上のサブ回路が、ベースバンドデバイスによって直接制御可能であれば有用である。このような実施形態は、図５に示されている。図５に示されている通信システム５ａは、デジタルインターフェース５１に結合されたベースバンドデバイス５０を含んでいる。上記デジタルインターフェースは、コントローラデバイス５２に接続されている。具体的には、上記デジタルインターフェースは、コントローラデバイス５２の一部であるメッセージ復号器＆コントローラ５３に接続されている。
【００５７】
動作中、ベースバンドデバイス５０は、ＲＦトランシーバフロントエンドのインターフェース５１に、制御パケットを送信することができる。当該制御パケットは、ＲＦトランシーバフロントエンドの１つ以上のサブ回路を設定するために用いられるＳＰＩテレグラムを含んでいてよい。上記制御パケットは、コントローラデバイス５２のメッセージ復号器＆コントローラ５３によって受信され、そしてメッセージ復号器＆コントローラ５３内において処理される。上記制御パケットからＳＰＩテレグラムコンテンツが抽出され、そしてＳＰＩインターフェース５４へ転送される。ＳＰＩインターフェース５４は、対応するＳＰＩテレグラムを生成し、当該テレグラムを、ＲＦトランシーバフロントエンドのＳＰＩ制御されるフロントエンド部品５７へ送信する。これらの部品は、ＲＦトランシーバの１つ以上のサブ回路を含んでいてよい。
【００５８】
図８は、信号送信または受信のためにＲＦトランシーバフロントエンドを設定および調整する方法の一実施形態を示している。本実施形態では、ベースバンドデバイスおよびトランシーバフロントエンドを有する通信システムが用いられる。当該ベースバンドデバイスおよびトランシーバフロントエンドは、ＤｉｇＲＦインターフェース規格を用いて、デジタルインターフェースを介して互いに通信することができる。
【００５９】
工程Ｓ１では、ベースバンドデバイスおよびトランシーバフロントエンドに対する基本的な初期化手順が行われる。これらの手順は、電源および電流発生器をアクティブにする工程と、基本的なサブルーチンを初期設定する工程と、通信およびデータやり取りのためにベースバンドデバイス内のコントローラおよびＲＦトランシーバフロントエンドをアクティブにする工程を含んでいてよい。上記初期化手順中には、さらに、一部のセルフテストおよび自律的な調整手順が行われる。例えば、温度に依存したキャリア信号生成の偏差（deviation）が測定および決定される。この偏差は、対応する調整信号を自動的に生成することによって補正することができる。トランシーバフロントエンド内におけるこのような補償は、ベースバンドデバイスからの制御なしで行うことができる。
【００６０】
上記基本的な初期化手順の後、ベースバンドデバイスは、ＲＦトランシーバフロントエンドへ複数の制御テレグラムを送信する。この制御テレグラムは、その一部が特定の動作モードのための１つ以上の設定パターンを有していることを示すコマンドを含んでいる。これは、後に必要となる。言い換えると、これらの制御パケットは、トランシーバフロントエンド部品を調整するための設定パターンを含んでいる。当該パターンは、少なくとも１つの動作モードにおいて後に用いられる。当該設定パターンは、ＳＰＩテレグラムを含んでいてよい。
【００６１】
例えば、後の段階において特定の送信モードが用いられる場合、上記制御テレグラムは、電力増幅器、送信経路内の位相固定ループ、および送信経路内のフィルタを調整するための設定パターンを含んでいてよい。後に必要とされる動作モードを調整および切り替えるために用いられる設定パターンが選択および送信されることが好ましい。
【００６２】
工程Ｓ３では、トランシーバフロントエンドのコントローラによって、上記制御テレグラムが受信および処理される。上記コントローラは、送信された制御テレグラムのデータペイロードから設定パターンを抽出し、当該設定パターンにインデックスを割り当てる。上記コントローラは、インデックスを用いることによって、トランシーバフロントエンドのシーケンサーによって必要とされる設定パターンを後に識別することができる。工程Ｓ４では、インデックスが割り当てられた上記設定パターンが、メモリ内に記憶される。この点において、インデックスは、対応する設定パターンが記憶されるメモリの特定のアドレスを含んでいてよい。上記コントローラは、メモリから設定パターンをロードする際、所望の設定パターンが記憶されている特定のアドレスを選択することができる。
【００６３】
後に必要とされる動作モードのための全ての設定パターンがメモリ内に記憶された後、上記ベースバンドデバイスは、工程Ｓ５において所望の動作モードに従って送信されるデータを含んだ１つ以上のデータテレグラムの送信を開始することができる。ベースバンドデバイス内において、特定の移動体通信モードを要求するさらなる制御テレグラムが生成される。例えば、ＧＳＭ移動通信規格に従ってデータが送信される場合、上記ベースバンドデバイスは、送信されるデータと少なくとも１つの制御テレグラムとを有するデータテレグラムを生成する。少なくとも１つの制御テレグラムは、トランシーバフロントエンドが特定のチャネルおよび特定の出力を有するＧＳＭ送信モードを要求する。
【００６４】
しかし、ＲＦトランシーバフロントエンドの全てのサブ回路を上記動作モードに調整するための対応する設定パターンは、事前に送信されてメモリ内に記憶されるため、時間的に余裕の無いシーケンスフロー（sequence flow）に対する要求は緩和される。さらに、トランシーバフロントエンドの制御装置は、トランシーバフロントエンドの所望の動作モードを「知っている」。トランシーバフロントエンドのサブ回路は、所望の動作モードに関して正確に知ることなく、特定の調整状態のみを要求する。
【００６５】
この結果、トランシーバフロントエンドの制御装置は、工程Ｓ６において、アクセスをより速くするために、必要とされる設定パターンをメモリからレジスタへコピーする。トランシーバフロントエンドの制御装置はさらに、シーケンスフローを制御するために用いられる、トランシーバフロントエンドのＴＸ／ＲＸシーケンサーをプログラムする。
【００６６】
図９に示されている工程Ｓ７では、トランシーバフロントエンドによる全ての準備が終了する。上記ベースバンドデバイスは、データ送信を制御するために、特定のタイムスタンプを示すＴＡＳメッセージを含んだ実行コマンドを送ることができる。ＴＡＳメッセージ（時間に正確なストローブメッセージ）は、工程Ｓ８において、トランシーバフロントエンドのコントローラデバイスによって受信および処理される。ＴＡＳメッセージは、正確な開始時間を示し、またデータ送信のフローに関する情報を提供する。ＴＡＳメッセージは、送信を開始および制御するために、制御装置によってＴＸ／ＲＸシーケンサーへ転送される。
【００６７】
ＴＸ／ＲＸシーケンサーは、１つ以上のインデックスおよびトリガーイベントを生成し、生成されたインデックスおよびトリガーイベントを制御装置へ送信する。これらトリガーイベントの生成および送信は、ＴＡＳメッセージに依存および由来する。工程Ｓ１０において、インデックスおよびトリガーが受信されるとすぐに、トランシーバフロントエンドの制御装置は、レジスタ内に事前に記憶されて各インデックスに割り当てられた設定パターンを、ＳＰＩテレグラムとして出力部に供給する。シーケンサーによって供給されたトリガーイベントは、調整を行うために設定パターンを供給して、ＳＰＩテレグラムを対応するサブ回路へ送る正確な時間を決定するために用いられる。
【００６８】
シークエンシング中、シーケンサーは、全シーケンスが終了するまで、あるいはベースバンドデバイスが異なるコマンドを送ってシーケンスを終了させ、異なる動作モードへ切り替えるまで、複数のインデックスおよびトリガーイベントを供給する。
【００６９】
図６は、通信システムの別の実施形態を示している。当該通信システムは、第１の半導体チップ内に形成されたベースバンドデバイス６０と、第２の半導体チップ内に形成された第２のＲＦトランシーバフロントエンドとを含んでいる。ベースバンドデバイス６０は、デジタルインターフェース６１を介して、ＲＦトランシーバフロントエンドに結合されている。当該ＲＦトランシーバフロントエンドは、メッセージ復号器＆コントローラ６３とＳＰＩインターフェース６４とを有するコントローラデバイス６２を含んでいる。メッセージ復号器＆コントローラ６３は、処理フローを制御するために、メモリ６５およびＴＸ／ＲＸシーケンサーに結合されている。インデックスが割り当てられた複数のＳＰＩテレグラムは、メモリ６５内に記憶される。これらのＳＰＩテレグラムは、ＲＦトランシーバフロントエンドの少なくとも１つのサブ回路を制御するために用いられる。このサブ回路は、例えば、ＳＰＩテレグラムによって制御可能であるＲＦトランシーバフロントエンドの部品のみなど、特定のサブ回路であってよい。このような場合、上記部品を設定する、対応するテレグラムは、メモリ容量が小さいため、事前に記憶されたテレグラムをロードおよび上書きする必要なく、メモリ６５内に完全に記憶させることができる。
【００７０】
動作中、ベースバンドデバイス６０は、自動動作をアクティブにするコマンドを、メッセージ復号器＆コントローラ６３へ送信する。自動動作がアクティブにされた後、ＲＦトランシーバのシーケンサー６６は、インデックスおよび対応するトリガーイベントを用いて、メッセージ復号器＆コントローラ６３からＳＰＩテレグラムを要求する。メッセージ復号器＆コントローラ６３は、上記インデックスに応答してメモリからテレグラムをロードし、そしてトリガーイベントに応答してＳＰＩテレグラムコンテンツをＳＰＩインターフェースへ提供する。ＳＰＩインターフェースは、ＲＦトランシーバフロントエンドのＳＰＩ制御フロントエンド部品６７へＳＰＩテレグラムを送信する。
【００７１】
全ての実施形態において、トランシーバフロントエンドの対応するサブ回路を制御する、時間に正確な信号の要件は、トランシーバフロントエンド自身の内部における半自律的かつ分離した処理によって緩和される。従ってベースバンドデバイスは、設定コマンドを含んだ制御パケットをトランシーバフロントエンドに時間に正確に送信する必要がなく、トランシーバフロントエンドのメモリ内に所望の設定を事前に記憶させておき、トランシーバシーケンサー自身からの要求を受けてそれを実行することができる。
【００７２】
当業者であれば、本明細書に示されている実施形態の様々な特徴を組み合わせて、本発明の１つ以上の利点を得ることができる。具体的な実施形態について図示および説明したが、当業者であれば、示されている具体的な実施形態の代わりに、これらと同一の目的を達成するために成されたあらゆる構成を用いることができることについて理解するであろう。また、上記説明は例示的であって、限定的ではないことについて理解されたい。アプリケーションは、本発明のあらゆる変形例を包含している。本発明の範囲は、上述の構造および方法を用いることのできる他のあらゆる実施形態およびアプリケーションを含んでいる。従って、本発明の範囲は、特許請求の範囲および特許請求の範囲が有する同等性の範囲に照らして決定されるべきである。
【００７３】
要約は、読み手が技術的開示の性質および要旨を素早く確認することができるものであることを求める３７  ＣＦＲ  Ｓｅｃｔｉｏｎ１．７２（ｂ）に準拠して記載されていることを強調しておく。要約は、特許請求の意味の範囲を解釈または限定するために用いられるものではないという理解で提出されている。
【図面の簡単な説明】
【００７４】
【図１】一実施形態に係るＲＦトランシーバを示す図である。
【図２】一実施形態に係る通信システムの信号フローを示す概略図である。
【図３】図２に示されている実施形態に係る通信システム内のＲＦトランシーバの一部を示す図である。
【図４】一実施形態に係る通信システムおよび対応する信号フローの一部を示す概略図である。
【図５】一実施形態に係る通信システムおよび対応する信号フローの一部を示す別の概略図である。
【図６】一実施形態に係るユニットおよび信号フローの概略図である。
【図７】一実施形態に係るトランシーバ内におけるメモリ、およびそのコンテンツを示す図である。
【図８】トランシーバの制御方法および信号の送信方法の実施形態を示す図である。
【図９】トランシーバの制御方法および信号の送信方法の実施形態を示す図である。
【図１】
0004901828.tif 000002
【図２】
0004901828.tif 000003
【図３】
0004901828.tif 000004
【図４】
0004901828.tif 000005
【図５】
0004901828.tif 000006
【図６】
0004901828.tif 000007
【図７】
0004901828.tif 000008
【図８】
0004901828.tif 000009
【図９】
0004901828.tif 000010